(57)【要約】【課題】検査記録および検査記録データの整理作業を効率化できる検査記録システムを実現する。【解決手段】検査対象物の検査結果データを入力すると共に時刻データが入力される少なくとも１個の携帯型端末と、所要時に前記検査対象物の画像記録データを撮影すると共に時刻データが入力される少なくとも１個のデジタルカメラと、前記携帯型端末から入力された検査結果と前記デジタルカメラから入力された画像記録とを前記時刻データの早いものから遅いものへと順次統合整理記憶する演算制御手段とを具備したことを特徴とする検査記録システムである。【選択図】図１
2008124970.tif 000002
【特許請求の範囲】
【請求項１】
検査対象物の検査結果データを入力すると共に時刻データが入力される少なくとも１個の携帯型端末と、
所要時に前記検査対象物の画像記録データを撮影すると共に時刻データが入力される少なくとも１個のデジタルカメラと、
前記携帯型端末から入力された検査結果と前記デジタルカメラから入力された画像記録とを前記時刻データの早いものから遅いものへと順次統合整理記憶する演算制御手段と
を具備したことを特徴とする検査記録システム。
【請求項２】
前記検査結果と前記画像記録とは無線ＬＡＮを利用して前記演算制御手段に入力されること
を特徴とする請求項１記載の検査記録システム。
【請求項３】
同一の検査対象物を対象とする携帯型端末とデジタルカメラとを１セットとしそれぞれのセットごとの検査結果データと画像記録データとに認識情報が付与されたこと
を特徴とする請求項１又は請求項２記載の検査記録システム。
【発明の詳細な説明】
【技術分野】
【０００１】
本発明は、設備や構造物の点検・検査業務における，検査記録および検査記録データの整理作業を効率化できる検査記録システムに関するものである。
【背景技術】
【０００２】
検査記録システムに関連する先行技術文献としては次のようなものがある。
【０００３】
【特許文献１】登録実用新案  第３０１４１４８号公報
【０００４】
設備の点検検査を行う際に，その記録は検査チェックシートなどの紙ベースで行われるのが一般的である。
昨今は演算制御手段（以下「パソコン」と言う。）や携帯型端末を活用した点検システムを用いて，ペーパレス化を図っているケースも見受けられる。
点検検査の際に，異常を発見した場合は、検査チェックシートに記録するとともに，その証拠写真を撮影し，検査記録とともに保管する方法がよく見られる。
【０００５】
しかし，検査記録と写真を一つの記録として保管または報告書として整理するためには，これらをなんらかの手法で一致させなければならない。
一般的には、
写真撮影の際に日付と場所を記述した黒板などを一緒に写す。
写真撮影時に対象物が分かる場所（タグ番号札など）を写してから本来の写真を写す。
【０００６】
写真撮影者の記憶に頼る。
デジタルカメラの音声機能を使って撮影時データを記憶させる。
などの手段が用いられる。
ただ，どの手法を用いても最終的に報告書を整理する際には，検査記録と写真を一つにまとめる作業が発生することは避けられない。
【０００７】
図４は従来より一般に使用されている従来例の説明図である。
図において、１は検査データ，２は証拠写真の画像データである。
３は検査データＡと画像データＡとをまとめたもの、４は検査データＢと画像データＢ１と画像データＢ２とをまとめたもの、５は検査データＣをまとめたもの、６は検査データＤと画像データＤとをまとめたものである。
【発明の開示】
【発明が解決しようとする課題】
【０００８】
上記の通り，報告書作成時の整理作業は時間が掛かると共に，記録の間違いを生む可能性が高い。
【０００９】
本発明の目的は、上記の課題を解決するもので、演算制御手段（パソコン），携帯型端末，デジタルカメラなどを用いて，検査記録と写真を容易に一致でき，報告書作成時の時間短縮と間違いを抑制する検査記録システムを提供することにある。
【課題を解決するための手段】
【００１０】
このような課題を達成するために、本発明では、請求項１の検査記録システムにおいては、
検査対象物の検査結果データを入力すると共に時刻データが入力される少なくとも１個の携帯型端末と、所要時に前記検査対象物の画像記録データを撮影すると共に時刻データが入力される少なくとも１個のデジタルカメラと、前記携帯型端末から入力された検査結果と前記デジタルカメラから入力された画像記録とを前記時刻データの早いものから遅いものへと順次統合整理記憶する演算制御手段とを具備したことを特徴とする。
【００１１】
本発明の請求項２の検査記録システムにおいては、請求項１記載の検査記録システムにおいて、
前記検査結果と前記画像記録とは無線ＬＡＮを利用して前記演算制御手段に入力されることを特徴とする。
【００１２】
本発明の請求項３の検査記録システムにおいては、請求項１又は請求項２記載の検査記録システムにおいて、
同一の検査対象物を対象とする携帯型端末とデジタルカメラとを１セットとしそれぞれのセットごとの検査結果データと画像記録データとに認識情報が付与されたことを特徴とする。
【発明の効果】
【００１３】
本発明の請求項１によれば、次のような効果がある。
演算制御手段で整理された報告書データの確認作業のみとなるため，短時間で報告書が完成できる検査記録システムが得られる。
作業者は時間経過と共に現場の状況を忘れてしまうため，検査終了後、即座に報告書の確認が行えることにより，報告書の正確性が向上できる検査記録システムが得られる。
【００１４】
本発明の請求項２によれば、次のような効果がある。
検査結果と画像記録とは無線ＬＡＮを利用して、演算制御手段に入力されるので、
無線ＬＡＮを併用することで，携帯型端末又はデジタルカメラが途中故障や破損した場合でも演算制御手段に記録が残るため，二度手間が発生しない検査記録システムが得られる。
無線ＬＡＮを併用することで，検査データおよび画像データをとりまとめた状態が，演算制御手段で確認できるため，画像の取り直しが発生した場合でも，その場で修復が可能になる検査記録システムが得られる。
【００１５】
本発明の請求項３によれば、次のような効果がある。
同一の検査対象物を対象とする携帯型端末とデジタルカメラとを１セットとしそれぞれのセットごとの検査結果データと画像記録データとに認識情報が付与されたので、点検検査作業を複数の携帯型端末で同時進行する場合に、容易に混同を避けることが出来る検査記録システムが得られる。
【発明を実施するための最良の形態】
【００１６】
以下本発明を図面を用いて詳細に説明する。
図１は本発明の一実施例の要部構成説明図、図２は図１の説明図である。
図において、図４と同一記号の構成は同一機能を表す。
以下、図４との相違部分のみ説明する。
【００１７】
携帯型端末１１は、検査対象物の検査結果データを入力すると共に、時刻データが入力される。
デジタルカメラ１２は、所要時に、検査対象物の画像記録データを撮影すると共に、時刻データが入力される。
【００１８】
パソコン１３は、携帯型端末１１から入力された検査結果と、デジタルカメラ１２から入力された画像記録とを、時刻データの早いものから遅いものへと順次統合整理記憶する。
この場合は、検査結果と画像記録とは無線ＬＡＮを利用して、パソコン１３に入力される。
【００１９】
以上の構成において、
１．事前準備。
（１）検査に必要なデータは，あらかじめパソコン１３から携帯型端末１１に転送する。
（２）携帯型端末１１・デジタルカメラ１２の時刻をパソコン１３と一致させる。
【００２０】
２．検査作業。
（３）検査対象のデータシートを呼び出し，検査結果を入力する。
（４）検査の結果，画像記録を必要とする場合は，検査に続いてデジタルカメラ１２で対象物の状態を撮影する。連続撮影であれば撮影枚数は制限しない。
（５）次の対象物を検査する。
【００２１】
３．データ整理。
（６）携帯型端末１１のデータをパソコン１３に転送する。
（７）デジタルカメラ１２の撮影データを転送する。
（８）パソコン１３で、それぞれのデータを統合し，検査結果と画像をひとまとめにした報告書を作成する。
【００２２】
なお、無線ＬＡＮを使った場合は，上記（３）の時点で携帯型端末１１からパソコン１３へアクセスポイント経由でデータを転送し，（４）の時点でデジタルカメラ１２からパソコン１３へアクセスポイント経由でデータを転送する。
【００２３】
データ処理のポイントは，検査データおよびデジタルカメラデータそれぞれに時刻データを持たせる事により，その時刻で検査と画像を一致させることにある。
検査対象を順番に検査する場合，検査結果の次に画像データが時系列に並べることができるため、パソコン１３で検査データを整理する際に時刻データを基準に整理すればよいことになる。
【００２４】
図２に示す如く、携帯型端末１１に入力された検査データ２１とデジタルカメラ１２で撮影された画像データ２２とは、パソコン１３にて、検査データと画像データとが時系列に並べ替え２３られる。
【００２５】
この結果、例えば、構造物検査で検査対象約５００カ所，画像枚数約５００枚の検査を実施した場合に，報告書を整理する時間が約３０時間掛かると推測されている。
本発明を用いた場合，パソコンで整理した報告書データの確認作業のみとなるため，２時間程度で完了すると見込まれる。
要するに、パソコン１３で整理された報告書データの確認作業のみとなるため，短時間で報告書が完成できる検査記録システムが得られる。
作業者は時間経過と共に現場の状況を忘れてしまうため，検査終了後、即座に報告書の確認が行えることにより，報告書の正確性が向上できる検査記録システムが得られる。
【００２６】
この場合は、検査結果と画像記録とは無線ＬＡＮを利用して、パソコン１３に入力されるので、
無線ＬＡＮを併用することで，携帯型端末１１又はデジタルカメラ１２が途中故障や破損した場合でもパソコン１３に記録が残るため，二度手間が発生しない検査記録システムが得られる。
【００２７】
無線ＬＡＮを併用することで，検査データおよび画像データをとりまとめた状態が，パソコン１３で確認できるため，画像の取り直しが発生した場合でも，その場で修復が可能になる検査記録システムが得られる。
【００２８】
図３は、本発明の他の実施例の要部説明図である。
図３において、点検検査作業を複数の携帯型端末３１，３３で、同時進行する場合である。
同一の検査対象物を対象とする携帯型端末３１，３３，‥‥とデジタルカメラ３２，３３，‥‥とを１セットとし、それぞれのセット「３１，３２」、「３３，３４」‥‥ごとの検査結果データと画像記録データとに認識情報（ＩＤ）０１，０２，‥‥が付与されている。
【００２９】
以上において、携帯型端末３１，３３，‥‥とデジタルカメラ３２，３３，‥‥とを１セット「３１，３２」、「３３，３４」‥として扱う。
携帯型端末３１，３３，‥‥およびデジタルカメラ３２，３３，‥‥から検査データ処理システム用パソコン１３へデータを転送する際に，それぞれの区別を付けるための認識情報（ＩＤ）０１，０２，‥‥を割り当て，その認識情報（ＩＤ）０１，０２，‥‥と共にデータを管理することで，各データの混同を避ける。
【００３０】
図３に示す如く、携帯型端末３１に入力された検査データ４１とデジタルカメラ３２で撮影された画像データ４２とは、パソコン１３にて検査データと画像データとが時系列に並べ替えられる。
且つ、携帯型端末３３に入力された検査データ４３とデジタルカメラ３４で撮影された画像データ４４とは、パソコン１３にて検査データと画像データとが時系列に並べ替えられる。
【００３１】
そして、セット「３１，３２」には、認識情報（ＩＤ）０１が付与され、セット「３３，３４」には、認識情報（ＩＤ）０２が付与されているので、その認識情報（ＩＤ）０１，０２と共にデータを管理することで，パソコン１３、にて各データ４５の混同を避けることが出来る。
【００３２】
この結果、
同一の検査対象物を対象とする携帯型端末とデジタルカメラとを１セットとしそれぞれのセット「３１，３２」、「３３，３４」‥‥ごとの検査結果データと画像記録データとに認識情報（ＩＤ）０１，０２，‥‥が付与されたので、点検検査作業を複数の携帯型端末３１，３３，‥‥で同時進行する場合に、容易に混同を避けることが出来る検査記録システムが得られる。
【００３３】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３４】
【図１】本発明の一実施例の要部構成説明図である。
【図２】図１の説明図である。
【図３】本発明の他の実施例の要部説明図である。
【図４】従来より一般に使用されている従来例の説明図である。
【符号の説明】
【００３５】
１１    携帯型端末
１２    デジタルカメラ
１３    パソコン
２１    検査データ
２２    画像データ
２３    検査、画像データ
３１    携帯型端末
３２    デジタルカメラ
３３    携帯型端末
３４    デジタルカメラ
４１    検査データ
４２    画像データ
４３    検査データ
４４    画像データ
４５    各データ
【図１】
2008124970.tif 000003
【図２】
2008124970.tif 000004
【図３】
2008124970.tif 000005
【図４】
2008124970.tif 000006